(57)【要約】【課題】ユーザの操作性を向上させた画像形成装置を提供する。【解決手段】ＭＦＰを使用するユーザの認証を行なう（Ｓ２０１）。そのユーザ（またはそのユーザが属するグループ）のプリントの上限値と使用量とを読出し、上限値−使用量の演算を行ない、それを残数とする（Ｓ２０３）。割込みモードであるかが判定され（Ｓ２０５）、ＮＯであれば残数からさらに登録済みのジョブの消費量を差し引く（Ｓ２０７）。残数をユーザに対して表示する（Ｓ２０９）。【選択図】図７
2008046239.tif 000002
【特許請求の範囲】
【請求項１】
部門またはユーザなどの利用者ごとに使用量のカウントを行なうカウント手段と、
利用者ごとの使用量の上限値を設定する設定手段と、
ジョブ実行時に、他のジョブを優先して実行するための割込みを受付ける割込み手段と、
装置を操作している利用者に設定された使用量の上限値から、実行されたジョブでの使用量、および登録されたジョブにおける使用量を差し引いた残数を表示する表示手段と、
前記割込み手段により受付けた割込みジョブを登録するときにおいては、前記表示手段で前記登録されたジョブにおける使用量を差し引かないよう制御する制御手段とを備えた、画像形成装置。
【請求項２】
装置の動作に必要な資源の管理を行なう管理手段と、
ジョブ実行時に、他のジョブを優先して実行するための割込みを受付ける割込み手段と、
前記資源の使用可能な残り値から、登録されたジョブにおける使用量を差し引いた残数を表示する表示手段と、
前記割込み手段により受付けた割込みジョブを登録するときにおいては、前記表示手段で前記登録されたジョブにおける使用量を差し引かないよう制御する制御手段とを備えた、画像形成装置。
【請求項３】
前記割込み手段により受付けた割込みジョブを登録することにより、既に登録済みのジョブが完了できないことを判断した場合において、モードの変更によりそのジョブを完了することができるときは、モード変更を操作者に通知する通知手段をさらに備えた、請求項１または２に記載の画像形成装置。
【請求項４】
前記割込み手段により受付けた割込みジョブを登録することにより、既に登録済みのジョブが完了できないことを判断した場合に、モードを変更することによりそのジョブを完了させる変更手段をさらに備えた、請求項１から３のいずれかに記載の画像形成装置。
【請求項５】
片面プリントと両面プリントが可能なプリント手段をさらに備え、
片面プリントを両面プリントに変更することによりジョブを完了することができるときは、両面プリントに変更する、請求項３または４に記載の画像形成装置。
【請求項６】
縮小印刷機能と、
複数ページを１枚の用紙にまとめて印刷する集約機能とをさらに備え、
縮小印刷と集約機能を組み合わせることによりジョブを完了することができるときは、縮小印刷と集約機能を組み合わせる動作に変更する、請求項３または４に記載の画像形成装置。
【請求項７】
不揮発の記憶装置をさらに備え、
前記割込み手段により受付けた割込みジョブを登録することにより、既に登録済みのジョブが完了できないことを判断した場合に、登録済みのジョブの情報を、前記不揮発の記憶装置に記憶する、請求項１から６のいずれかに記載の画像形成装置。
【請求項８】
前記不揮発の記憶装置に記憶されているジョブの実行が可能と判断したときに、そのジョブを再開する、請求項７に記載の画像形成装置。
【請求項９】
前記割込み手段により受付けた割込みジョブを登録することにより、既に登録済みのジョブが完了できないことを判断した場合に、装置管理者もしくはジョブ登録者に通知を行なう、請求項１から８のいずれかに記載の画像形成装置。
【請求項１０】
前記通知においては、ジョブが完了できない旨の通知を行なう、もしくは登録されたジョブの画像情報を送信する、請求項９に記載の画像形成装置。
【請求項１１】
部門またはユーザなどの利用者ごとに使用量のカウントを行なうカウント手段と、
利用者ごとの使用量の上限値を設定する設定手段と、
ジョブ実行時に、他のジョブを優先して実行するための割込みを受付ける割込み手段とを備えた画像形成装置の制御方法であって、
装置を操作している利用者に設定された使用量の上限値から、実行されたジョブでの使用量、および登録されたジョブにおける使用量を差し引いた残数を表示する表示ステップと、
前記割込み手段により受付けた割込みジョブを登録するときにおいては、前記表示ステップで前記登録されたジョブにおける使用量を差し引かないよう制御する制御ステップとを備えた、画像形成装置の制御方法。
【請求項１２】
装置の動作に必要な資源の管理を行なう管理手段と、
ジョブ実行時に、他のジョブを優先して実行するための割込みを受付ける割込み手段とを備えた画像形成装置の制御方法であって、
前記資源の使用可能な残り値から、登録されたジョブにおける使用量を差し引いた残数を表示する表示ステップと、
前記割込み手段により受付けた割込みジョブを登録するときにおいては、前記表示ステップで前記登録されたジョブにおける使用量を差し引かないよう制御する制御ステップとを備えた、画像形成装置の制御方法。
【発明の詳細な説明】
【技術分野】
【０００１】
この発明は画像形成装置、および画像形成装置の制御方法に関し、特にジョブ実行時に、他のジョブを優先して実行するための割込みを受付けることができる画像形成装置、および画像形成装置の制御方法に関する。
【背景技術】
【０００２】
従来より、複数のジョブを登録して順次実行してゆくマルチジョブのＭＦＰ（Multi Function Peripheral）などの画像形成装置が知られている。
【０００３】
下記特許文献１は、新たなジョブ予約時に、設定枚数が複写可能枚数を超えている場合、それを警告し、複写可能な枚数に自動的に変更する画像形成装置を開示している。
【特許文献１】特開平９−１４６４２８号公報
【発明の開示】
【発明が解決しようとする課題】
【０００４】
ところが、従来の画像形成装置においては、優先して実行したい緊急の割込みジョブを登録する場合において、既に予約されているジョブが複写可能枚数の上限まで使用しているときは、優先して実行したいジョブを登録できないという問題点があった。
【０００５】
また、このような問題は、複写に限定されるものでなく、スキャン画像の蓄積、送信など、画像形成装置の他の機能においても発生する。
【０００６】
本発明の目的は、上記問題を解決するためになされたものであって、ユーザの操作性を向上させた画像形成装置、および画像形成装置の制御方法を提供することを目的としている。
【課題を解決するための手段】
【０００７】
上記目的を達成するためこの発明のある局面に従うと、画像形成装置は、部門またはユーザなどの利用者ごとに使用量のカウントを行なうカウント手段と、利用者ごとの使用量の上限値を設定する設定手段と、ジョブ実行時に、他のジョブを優先して実行するための割込みを受付ける割込み手段と、装置を操作している利用者に設定された使用量の上限値から、実行されたジョブでの使用量、および登録されたジョブにおける使用量を差し引いた残数を表示する表示手段と、割込み手段により受付けた割込みジョブを登録するときにおいては、表示手段で登録されたジョブにおける使用量を差し引かないよう制御する制御手段とを備える。
【０００８】
この発明の他の局面に従うと画像形成装置は、装置の動作に必要な資源の管理を行なう管理手段と、ジョブ実行時に、他のジョブを優先して実行するための割込みを受付ける割込み手段と、資源の使用可能な残り値から、登録されたジョブにおける使用量を差し引いた残数を表示する表示手段と、割込み手段により受付けた割込みジョブを登録するときにおいては、表示手段で登録されたジョブにおける使用量を差し引かないよう制御する制御手段とを備える。
【０００９】
好ましくは画像形成装置は、割込み手段により受付けた割込みジョブを登録することにより、既に登録済みのジョブが完了できないことを判断した場合において、モードの変更によりそのジョブを完了することができるときは、モード変更を操作者に通知する通知手段をさらに備える。
【００１０】
好ましくは画像形成装置は、割込み手段により受付けた割込みジョブを登録することにより、既に登録済みのジョブが完了できないことを判断した場合に、モードを変更することによりそのジョブを完了させる変更手段をさらに備える。
【００１１】
好ましくは画像形成装置は、片面プリントと両面プリントが可能なプリント手段をさらに備え、片面プリントを両面プリントに変更することによりジョブを完了することができるときは、両面プリントに変更する。
【００１２】
好ましくは画像形成装置は、縮小印刷機能と、複数ページを１枚の用紙にまとめて印刷する集約機能とをさらに備え、縮小印刷と集約機能を組み合わせることによりジョブを完了することができるときは、縮小印刷と集約機能を組み合わせる動作に変更する。
【００１３】
好ましくは画像形成装置は、不揮発の記憶装置をさらに備え、割込み手段により受付けた割込みジョブを登録することにより、既に登録済みのジョブが完了できないことを判断した場合に、登録済みのジョブの情報を、不揮発の記憶装置に記憶する。
【００１４】
好ましくは画像形成装置は、不揮発の記憶装置に記憶されているジョブの実行が可能と判断したときに、そのジョブを再開する。
【００１５】
好ましくは画像形成装置は、割込み手段により受付けた割込みジョブを登録することにより、既に登録済みのジョブが完了できないことを判断した場合に、装置管理者もしくはジョブ登録者に通知を行なう。
【００１６】
好ましくは画像形成装置は、通知においては、ジョブが完了できない旨の通知を行なう、もしくは登録されたジョブの画像情報を送信する。
【００１７】
この発明のさらに他の局面に従うと画像形成装置の制御方法は、部門またはユーザなどの利用者ごとに使用量のカウントを行なうカウント手段と、利用者ごとの使用量の上限値を設定する設定手段と、ジョブ実行時に、他のジョブを優先して実行するための割込みを受付ける割込み手段とを備えた画像形成装置の制御方法であって、装置を操作している利用者に設定された使用量の上限値から、実行されたジョブでの使用量、および登録されたジョブにおける使用量を差し引いた残数を表示する表示ステップと、割込み手段により受付けた割込みジョブを登録するときにおいては、表示ステップで登録されたジョブにおける使用量を差し引かないよう制御する制御ステップとを備える。
【００１８】
この発明のさらに他の局面に従うと画像形成装置の制御方法は、装置の動作に必要な資源の管理を行なう管理手段と、ジョブ実行時に、他のジョブを優先して実行するための割込みを受付ける割込み手段とを備えた画像形成装置の制御方法であって、資源の使用可能な残り値から、登録されたジョブにおける使用量を差し引いた残数を表示する表示ステップと、割込み手段により受付けた割込みジョブを登録するときにおいては、表示ステップで登録されたジョブにおける使用量を差し引かないよう制御する制御ステップとを備える。
【発明の効果】
【００１９】
上記発明に従うと、ユーザの操作性を向上させた画像形成装置、および画像形成装置の制御方法を提供することが可能となる。
【発明を実施するための最良の形態】
【００２０】
以下、本発明の実施の形態の１つにおけるマルチジョブのＭＦＰについて説明する。ＭＦＰは、複写可能枚数以上の複写を制限する部門管理機能、またはユーザ管理機能を備える。このように枚数をカウントし、上限値以上の複写を禁止する機能をカウンタ管理ともいう。
【００２１】
図１は、本発明の実施の形態の１つにおけるＭＦＰの構成を示す図である。
図を参照して、ＭＦＰは自動原稿送り装置（以下ＡＤＦという）５００によってプラテンガラス１８上に原稿を１枚ずつ搬送する。ＭＦＰはプラテンガラス１８上の原稿の画像を読取り、読取られた画像データに基づいてレーザビーム走査光学系６０を駆動し、感光体ドラム７１上に静電潜像を形成する。ＭＦＰはこの静電潜像を現像する。
【００２２】
ＭＦＰは、原稿画像を読取って画像データに変換する読取系１０と、読取系１０から送信される画像データを処理する画像データ処理ユニット２０と、メモリユニット部３０と、メモリユニット部３０から送信される印字データに基づいて光学系６０を駆動する印字処理ユニット４０と、半導体レーザ６２から放射されたレーザビームを感光体ドラム７１上に照射する光学系６０と、感光体ドラム７１上に形成された静電潜像の現像および転写を行なう作像系７０と、シート搬送系８０と、原稿を搬送し両面原稿の場合はその表裏を反転する機能を備えた開閉可能なＡＤＦ５００とを含む。センサＳＥ７はＡＤＦ５００の開閉を検出する。センサＳＥ６は原稿がＡＤＦ５００にセットされたことを検出する。
【００２３】
そして、読取系１０と、画像データ処理ユニット２０と、メモリユニット部３０とによって読取装置ＩＲが構成されている。また印字処理ユニット４０と、光学系６０と、作像系７０と、シート搬送系８０とによってプリンタ装置ＰＲＴが構成されている。
【００２４】
読取系１０は、プラテンガラス１８の下方を移動するスキャナ１９に組付けられた露光ランプ１１およびミラー１２と、第２および第３ミラー１３ａ，１３ｂと、集光用のレンズ１４と、ＣＣＤアレイなどを用いた光電変換素子１６と、スキャンモータＭ２などとから構成されている。
【００２５】
メモリユニット部３０へは、画像データ処理ユニット２０または外部インターフェイス３１を介して画像データが入力される。
【００２６】
印字処理ユニット４０は、印字データに基づいて主走査方向に１ラインずつ光学系６０を駆動する。
【００２７】
光学系６０は、印字処理ユニット４０によって変調（オン／オフ）制御される半導体レーザ６２と、この半導体レーザ６２から放射されたレーザビームを偏向走査するポリゴンミラー６５と、偏向されたレーザビームの歪曲収差などを補正するｆθレンズ６９と、レーザビームを感光体ドラムに導くミラー６７ａ，６７ｂとで構成されている。
【００２８】
作像系７０は、矢印方向に回転させる感光体ドラム７１の周囲に回転方向に沿って帯電チャージャ７２と、現像機７３と、転写チャージャ７５と、残留トナーのクリーナ７６とを配置したものである。なお、作像系７０による作像プロセスは周知であるため、その説明は省略する。
【００２９】
シート搬送系８０は、シートを積層収容した２つの自動給紙カセットと、シートを１枚ずつ給紙するためのローラ８２ａ，８２ｂと、シート搬送通路８３と、タイミングローラ８４と、搬送ベルト８５と、トナー定着器８６と、排出ローラ８７と、排紙トレイ８８とで構成されている。このシート搬送系８０および感光体ドラム７１はメインモータＭ１によって駆動される。また、シート搬送通路の要所にはシート検出センサが設置されている。また、シート搬送系８０には、ユーザの手差しで給紙を行なう手差し給紙口８９が設けられている。
【００３０】
図に示されるように本実施の形態におけるＭＦＰは給紙カセット２つおよび手差し給紙口１つの合計３つの給紙口を有する。
【００３１】
ＡＤＦ５００は、原稿トレイ５０１と、ピックアップローラ５０２と、捌きローラ５０３と、捌きパッド５０４と、レジスタローラ５０５と、搬送ベルト５０６と、反転ローラ５０７と、排紙トレイ５０８とによって構成されている。トレイ５０１上に載置された原稿は、最下層のものから１枚ずつプラテンガラス１８上に搬送される。搬送された原稿はプラテンガラス１８上で停止され、読取系１０によってその画像データが読取られる。読取終了後、原稿は反転ローラ５０７の周囲を１回転してプラテンガラス１８上にへ戻される。そのため、搬送ベルト５０６は正逆転可能とされている。また、原稿はプラテンガラス１８へ送り込まれる直前でセンサＳＥ５によってそのサイズを検出される。
【００３２】
以上のような構成からなる複写機は、通常のモードでは１枚の原稿の画像を読取って、その画像データに必要な補正を加えて印字データを生成し、この印字データを光学系６０で出力し、１枚のシート上に画像を形成する。
【００３３】
図２は、図１のＭＦＰの備える操作パネル９０の平面図である。
図を参照して操作パネル９０には、液晶タッチパネル９１と、テンキー９２と、セットされた数値を初期値に戻すためのクリアキー９３と、割込コピーを実行するための割込キー９４と、コピースタートキー９５と、メモリリコールモードのオン／オフを設定するメモリリコールモードオン／オフキー９７と、メモリリコールモードがオンであることを示すためのメモリリコールモードオン表示ＬＥＤ９８と、メモリリコールを実行するためのメモリリコールキー９９と各給紙口の属性をセットするための属性セットキー１００とが設けられている。
【００３４】
ここにメモリリコールモードとは、読取装置ＩＲで読取られた画像データをそのプリント後も符号メモリに記憶させておき、必要な時点で再度その画像データを読出しプリントすることを可能とするモードである。メモリリコールモードがオンの状態であるときには、読取装置ＩＲで読取られた画像データは自動的に符号メモリに保存される。そして、メモリリコールキー９９をユーザが押下することにより、符号メモリに記憶された画像データの一覧が表示され、ユーザはその中からプリントさせたい画像データ（メモリリコールさせたい画像データ）を選択することができる。
【００３５】
一方メモリリコールモードがオフの状態であるときには、読取装置ＩＲで読取られた画像データはプリンタ装置ＰＲＴによるプリント後に符号メモリから自動的に削除される。
【００３６】
なお、ＭＦＰの備えるコピーモードはＭＦＰの電源を投入した初期状態においては通常モードに設定される。この通常モードにおいては、メモリリコールモードはオンである。したがって、初期状態においてはメモリリコールモードオン表示ＬＥＤ９８は点灯している。そしてユーザがメモリリコールモードオン／オフキー９７を押下すると、メモリリコールモードオン表示ＬＥＤ９８は消灯し、メモリリコールモードがオフとなる。
【００３７】
図３および図４は、図１のＭＦＰの備える制御部の全体構成を示すブロック図である。
図を参照して制御部は６個のＣＰＵ１０１〜１０５および１０７を中心として構成され、各ＣＰＵ１０１〜１０５および１０７にはそれぞれ必要なプログラムを格納したＲＯＭ１１１〜１１５および１１７と、プログラム実行時のワークエリアとなるＲＡＭ１２１〜１２５および１２７が設けられている。
【００３８】
ＣＰＵ１０１は、操作パネル９０の各種操作キーからの信号の入力および液晶タッチパネル９１への表示に関する制御を行なう。ＣＰＵ１０２は、画像データ処理ユニット２０の各部の制御を行なう。ＣＰＵ１０３は、読取系１０の駆動制御を行なう。
【００３９】
ＣＰＵ１０４は、印字処理ユニット４０と、光学系６０と、作像系７０と、シート搬送系８０の制御を行なう。各部に設けられたシート検出センサからの検出信号はＩ／Ｏを介してＣＰＵ１０４に入力される。
【００４０】
ＣＰＵ１０５は制御部の全体的なタイミング調整や動作モード設定のための制御を行なう。ＣＰＵ１０６はメモリユニット部３０に含まれ、、メモリユニット部３０を制御することによって、画像データ処理ユニット２０から転送された画像データに必要な加工を施して印字データを生成する。そして、生成された印字データを印字処理ユニット４０へ転送する。
【００４１】
ＣＰＵ１０７は、ＡＤＦ５００の制御を行なうもので、シリアルＩ／Ｏを介してＣＰＵ１０１，１０２および１０５と接続されている。原稿の給紙、搬送および排出などの指示はＣＰＵ１０５によって行なわれる。
【００４２】
画像データ処理ユニット２０は、Ａ／Ｄコンバータと、シェーディング補正部と、ＭＴＰ補正、γ補正などの画質補正や、変倍、画像編集などを行なう周知の画像補正部とから構成される。
【００４３】
メモリユニット部３０には、着脱可能な不揮発性メモリ２０１を接続することが可能である。
【００４４】
図５は、メモリユニット部３０の具体的な構成を示すブロック図である。
図を参照して、メモリユニット部３０は、ＣＰＵ１０６によって制御される。メモリユニット部３０は、２値データを作成する２値化処理部３０２と、画像メモリ３０４と、符号管理テーブルＭＴを作成するＲＡＭ１２６（図３）と、それぞれ独立に動作可能な圧縮機３１１および伸張機３１２を有した符号処理部３０５と、マルチポートを有した符号メモリ３０６と、回転処理部３０７と、多値化処理部３０８とによって構成されている。
【００４５】
画像データ処理ユニット２０から転送された１頁分の画像データＤ２は、まず画像メモリ３０４に書込まれる。画像データは圧縮機３１１で圧縮され、符号メモリ３０６に書込まれる。符号メモリ３０６に書込まれた画像データは、ＣＰＵ１０６の指示によって読出され、伸張機３１２で伸張された後、画像メモリ３０４に書込まれる。
【００４６】
画像メモリ３０４に書込まれた画像データは、印字データとして印字処理ユニット４０へ転送され、光学系６０が駆動されることにより感光体ドラム７１上に印字が行なわれる。メモリユニット部３０内には回転処理部３０７が内蔵され、印字データを必要に応じて回転させる。
【００４７】
符号メモリ３０６は、ＲＡＭ１２６に格納された符号管理テーブルＭＴによって管理されている。
【００４８】
図６は、ＭＦＰが実行するジョブ登録処理を示すフローチャートである。
図を参照して、ステップＳ１０１において、ＭＦＰのユーザが設定することができる複写枚数の残数の演算が行なわれる。ステップＳ１０３において、そのユーザのプリント枚数の上限値−過去の使用量（過去になされたプリントの枚数）−登録済みジョブの消費量（登録済みジョブの使用するプリント枚数）の演算が行なわれ、それが今回登録されるジョブの消費量（今回のジョブの実行するプリントの枚数）以上であるかが判定される。
【００４９】
ステップＳ１０３でＹＥＳであれば、ステップＳ１０９でそのジョブを登録する。
ステップＳ１０３でＮＯであれば、ステップＳ１０５において、今回登録するジョブが割込みジョブであるかを判定する。ＹＥＳであれば、ステップＳ１０７において、そのユーザのプリント枚数の上限値−過去の使用量の演算が行なわれ、それが今回登録されるジョブの消費量以上であるかが判定される。
【００５０】
ステップＳ１０７においてＹＥＳであれば、ステップＳ１０９でそのジョブを登録する。
【００５１】
ステップＳ１０７でＮＯであれば、ステップＳ１１１で、登録するジョブによりプリント枚数の上限値を超える旨の警告をユーザに対して行なう。その後、ステップＳ１１３でジョブを強行するかのユーザからの入力を受付ける。ＹＥＳであれば、既に登録済みのジョブを完了できないことを意味するため、ステップＳ１１５で登録済みジョブの丸め込みを実行した後、ステップＳ１０９でジョブを登録する。
【００５２】
ステップＳ１１３でＮＯであれば、後述するステップＳ１１９へ進む。
ステップＳ１０５でＮＯであれば、ステップＳ１１７において、登録するジョブにより、プリント枚数の上限値を超える旨の警告をユーザに対して行なう。ステップＳ１１９において、ジョブの丸め込みが可能かを判定し、ＹＥＳであればステップＳ１２１で丸め込み処理を行なった後、ステップＳ１０９でジョブを登録する。丸め込み処理とは、ジョブのモード変更（片面印刷→両面印刷、縮小および集約印刷、プリント枚数を少なくするなど）を行なうことで、残数内の処理にするものである。また、上述の特開平９−１４６４２８号公報に記載された丸め込み処理を行なうこととしてもよい。
【００５３】
ステップＳ１１９でＮＯであれば、ステップＳ１２３で予約ジョブを破棄し、終了する。
【００５４】
図７は、図６のステップＳ１０１で実行される残数計算処理を示すフローチャートである。
【００５５】
図を参照して、ステップＳ２０１でＭＦＰを使用するユーザの認証を行なう。ステップＳ２０３において、そのユーザ（またはそのユーザが属する部門）のプリントの上限値と、使用量とを読出す。上限値−使用量の演算を行ない、それを残数とする。
【００５６】
ステップＳ２０５で割込みモードであるかが判定され、ＮＯであれば、ステップＳ２０７で残数からさらに登録済みのジョブの消費量を差し引く。ステップＳ２０９で残数をユーザに対して表示する。
【００５７】
ステップＳ２０５でＹＥＳであれば、そのままステップＳ２０９へ進む。
図８は、図６のステップＳ１１５で行なわれる登録済みジョブの丸め込み処理を示すフローチャートである。
【００５８】
図を参照して、ステップＳ３０１で登録済みジョブを他のＰＣや他の画像形成装置へ転送することが可能かを判定する。この判定はユーザの設定に基づくものである。ＹＥＳであれば、ステップＳ３０３で転送を行なう。その後、ステップＳ３０５でユーザ（管理者、およびジョブ登録者など）のＰＣへ通知を行なうかを判定し、ＹＥＳであればステップＳ３０７で通知を行なう。通知においては、ジョブが完了できない旨の通知を行なったり、登録されたジョブの画像情報を送信するなどの処理が行なわれる。
【００５９】
ステップＳ３０１でＮＯであれば、ステップＳ３０９で登録済みジョブの丸め込みを行なうかを判定する。この判定はユーザの設定に基づくものである。ＹＥＳであれば、ステップＳ３１１で丸め込み処理を行なう。
【００６０】
図９は、図８のステップＳ３１１で行なわれる丸め込み処理を示すフローチャートである。
【００６１】
図を参照して、ステップＳ４０１で登録済みジョブの動作モードの変更が可能かを判定する。この判定はユーザの設定に基づくものであってもよいし、装置が自動判定してもよい。また、モード変更をユーザに通知して、動作モードの変更を行なうか否かを選択させるようにしてもよい。ステップＳ４０１でＹＥＳであれば、ステップＳ４０３でたとえば、片面コピーモードを両面コピーモードに変更する、Ｎｉｎ１コピーモード（複数ページを１枚の用紙にまとめる集約印刷と縮小印刷とを行なうモード）に変更する、プリント枚数を少なくするなどの処理を行なうことで、プリント枚数が上限値を越えないようにする。また、上述の特開平９−１４６４２８号公報に記載された丸め込み処理を行なうこととしてもよい。
【００６２】
ステップＳ４０１でＮＯであれば、ステップＳ４０５で登録済みジョブをメモリに記憶するかを判定する。この判定はユーザの設定に基づくものである。ＹＥＳであれば、ステップＳ４０７において、着脱可能な不揮発性メモリ２０１にジョブを記憶させる。
【００６３】
ステップＳ４０７の後、またはステップＳ４０５でＮＯであれば、ステップＳ４０９で登録済みジョブを消去するかを判定する。この判定はユーザの設定に基づくものである。ＹＥＳであれば、ステップＳ４１１で登録済みジョブを消去する。
【００６４】
図１０は、ＭＦＰが実行する登録済みジョブの再開処理を示すフローチャートである。
図を参照して、ステップＳ５０１において、たとえば上限値が変更されたなどの理由によりジョブの再開が可能かを判定し、ＹＥＳであればステップＳ５０３でメモリからジョブを呼び出し、ステップＳ５０５でジョブを再開する。
【００６５】
なお、図６のステップＳ１１５の処理は、ステップＳ１０７でＹＥＳのときにおいて実行してもよい。このとき、図８のステップＳ３０９において、装置は登録済みのジョブをそのままでは完了できないが、丸め込みによりそのジョブを完了することができるか否かを判定する。
【００６６】
［実施の形態における効果］
以上の実施の形態によると、ユーザや部門（グループ）ごとにカウンタによる上限値管理を行なうＭＦＰにおいて、割込みジョブを登録する時においては、登録済みのジョブのカウント数を差し引かない。また、残り値を表示するとき、既に登録済みのジョブ数分を差し引くが、割込み時は登録済みのジョブ分は差し引かない。このため、割込み時には、ジョブをカウンタ上限まで実行することができる。
【００６７】
これにより、たとえば通常の登録ジョブにより上限値まで達した状態であっても、割込んで操作するときには、ジョブが登録可能となる。
【００６８】
［その他］
なお、上述の実施の形態では、ユーザや部門（グループ）ごとにカウンタによる上限値管理を行なうＭＦＰを例に挙げたが、このような管理を行なわず、装置の動作に必要な資源の管理を行ない、資源の使用可能な残り値から、登録されたジョブにおける使用量を差し引いて表示するＭＦＰにも、本発明を適用することができる。すなわち、割込みジョブ登録においては、登録されたジョブにおける使用量を差し引かずに資源の使用可能な残り値を表示するものである。
【００６９】
本発明はＭＦＰ、ファクシミリ装置、複写機、ＰＣなどの画像形成装置に対して実施することができる。
【００７０】
また、上述の実施の形態における処理は、ソフトウエアによって行なっても、ハードウエア回路を用いて行なってもよい。
【００７１】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００７２】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７３】
【図１】本発明の実施の形態の１つにおけるＭＦＰの構成を示す図である。
【図２】図１のＭＦＰの備える操作パネル９０の平面図である。
【図３】図１のＭＦＰの備える制御部の全体構成を示すブロック図である。
【図４】図１のＭＦＰの備える制御部の全体構成を示すブロック図である。
【図５】メモリユニット部３０の具体的な構成を示すブロック図である。
【図６】ＭＦＰが実行するジョブ登録処理を示すフローチャートである。
【図７】図６のステップＳ１０１で実行される残数計算処理を示すフローチャートである。
【図８】図６の登録済みジョブの丸め込み処理を示すフローチャートである。
【図９】図８のステップＳ３１１で行なわれる丸め込み処理を示すフローチャートである。
【図１０】ＭＦＰが実行する登録済みジョブの再開処理を示すフローチャートである。
【符号の説明】
【００７４】
３０  メモリユニット部、９７  メモリリコールモードオン／オフキー、９９  メモリリコールキー、１００  属性セットキー、３０６  符号メモリ。
【図１】
2008046239.tif 000003
【図２】
2008046239.tif 000004
【図３】
2008046239.tif 000005
【図４】
2008046239.tif 000006
【図５】
2008046239.tif 000007
【図６】
2008046239.tif 000008
【図７】
2008046239.tif 000009
【図８】
2008046239.tif 000010
【図９】
2008046239.tif 000011
【図１０】
2008046239.tif 000012